(57)【要約】【課題】建物の下にあるフーチングと、該フーチングから水平方向に間隔を置かれた側壁との間の底版に必要な曲げ強度を低減できるようにすることにより、前記底版の内部の鉄筋の本数を減らしたり、前記底版の厚さを薄くしたりすることができるようにし、建物の基礎を経済的に施工できるようにすること。【解決手段】地盤の上に建物を支持する基礎は、前記地盤の中に設けられた、前記建物の下にあるフーチングと、該フーチングから第１水平方向に間隔を置いて前記地盤の中に前記第１水平方向に対して垂直に設けられた側壁であって前記建物から隔てられた側壁と、該側壁における前記地盤の表面から下方へ隔てられた位置と前記フーチングとの間に設けられ、一端部が前記位置で前記側壁に固定され、他端部が前記第１水平方向と直交する第２水平方向に伸びる回転軸線の周りに回転可能に前記フーチングに隣接する底版とを含む。【選択図】図１
2012117204.tif 000002
【特許請求の範囲】
【請求項１】
地盤の上に建物を支持する基礎であって、
前記地盤の中に設けられ、前記建物の下にあるフーチングと、
前記フーチングから第１水平方向に間隔を置いて前記地盤の中に前記第１水平方向に対して垂直に設けられた側壁であって前記建物から隔てられた側壁と、
前記側壁における前記地盤の表面から下方へ隔てられた位置と前記フーチングとの間に設けられ、一端部が前記位置で前記側壁に固定され、他端部が前記第１水平方向と直交する第２水平方向に伸びる回転軸線の周りに回転可能に前記フーチングに隣接する底版とを含み、
前記側壁及び前記底版は前記地盤の中における前記建物の前記第１水平方向の外方に空間を形成する、基礎。
【請求項２】
前記底版の前記他端部は、それぞれが前記フーチングから間隔を置かれた上縁部分及び下縁部分と、前記上縁部分と前記下縁部分との間にあって前記上縁部分及び前記下縁部分のそれぞれから前記第１水平方向に突出し、前記フーチングに接する中央部分とを有する、請求項１に記載の基礎。
【請求項３】
前記底版の前記他端部と前記フーチングとの間に配置され、前記底版の前記他端部と前記フーチングとに密着する弾性部材を含む、請求項１に記載の基礎。
【請求項４】
前記底版の前記他端部と前記フーチングとを結合する結合手段であって一端部が前記底版の前記他端部に固定された第１部材と、一端部が該第１部材の他端部に枢軸的に連結され、他端部が前記フーチングに固定された第２部材とからなる結合手段を含む、請求項１に記載の基礎。
【請求項５】
地盤の上に建物を支持する基礎であって、
前記地盤の中に設けられ、前記建物の下にあるフーチングと、
前記フーチングから第１水平方向に間隔を置いて前記地盤の中に前記第１水平方向に対して垂直に設けられた側壁であって前記建物から隔てられた側壁と、
前記側壁における前記地盤の表面から下方へ隔てられた位置と前記フーチングとの間に設けられ、一端部が前記位置で前記側壁に固定され、他端部が前記フーチングに結合された底版とを含み、
前記底版の前記他端部は、前記底版の前記一端部及び中間部より前記第１水平方向と直交する第２水平方向に伸びる軸線に対する断面二次モーメントが小さく、
前記側壁及び前記底版は前記地盤の中における前記建物の前記第１水平方向の外方に空間を形成する、基礎。
【請求項６】
前記底版の前記他端部は、それぞれが前記フーチングから間隔を置かれた上縁部分及び下縁部分と、前記上縁部分と前記下縁部分との間にあって前記上縁部分及び前記下縁部分のそれぞれから前記第１水平方向に突出し、前記フーチングに連結された中央部分とを有する、請求項５に記載の基礎。
【請求項７】
前記中央部分は、前記底版の前記他端部の内部に固定され、該他端部から前記中央部分を経て前記フーチングの内部へ前記第１水平方向に伸び、前記フーチングの内部において該フーチングに固定された少なくとも１本の鉄筋により、前記フーチングに連結されている、請求項６に記載の基礎。
【請求項８】
前記底版の前記他端部と前記フーチングとの間に配置され、前記底版の前記他端部と前記フーチングとに密着する弾性部材と、前記底版の前記他端部の内部に固定され、該他端部から前記弾性部材を貫いて前記フーチングの内部へ前記第１水平方向に伸び、前記フーチングの内部において該フーチングに固定された少なくとも１本の鉄筋とを含む、請求項５に記載の基礎。
【請求項９】
前記側壁は、前記地盤の中に前記側壁に平行に設けられた土留壁であって前記側壁の前記位置より下方にある下端部を有する土留壁に結合されている、請求項１ないし８のいずれか１項に記載の基礎。
【発明の詳細な説明】
【技術分野】
【０００１】
本発明は、地盤の上に建物を支持する基礎に関する。
【背景技術】
【０００２】
従来、地盤の上に建物を支持する基礎には、前記地盤の表面の下方に設けられたスラブと、該スラブに対して垂直に前記地盤の中に設けられ、前記スラブに固定されたソイルセメント柱列壁とを備えるものがある（特許文献１参照）。前記スラブの上に前記建物が構築される。
【０００３】
前記スラブの上に免震装置が配置され、該免震装置の上に前記建物が構築されることがある。この場合、前記建物は前記ソイルセメント柱列壁から水平方向に間隔を置かれ、前記ソイルセメント柱列壁と前記建物との間の空間はいわゆる免震ピットとして用いられる。
【０００４】
地震時に前記ソイルセメント柱列壁及び前記スラブが前記地盤から水平力を受けて振動したとき、前記ソイルセメント柱列壁及び前記スラブは前記建物に対して水平方向に動く。前記ソイルセメント柱列壁が前記建物から水平方向に間隔を置かれているため、前記ソイルセメント柱列壁及び前記スラブが前記建物に対して動いたときに前記ソイルセメント柱列壁が前記建物に接触することがないようにすることができる。
【先行技術文献】
【特許文献】
【０００５】
【特許文献１】特開２００４−１６２３５０
【発明の概要】
【発明が解決しようとする課題】
【０００６】
前記スラブは、前記建物の下にある第１部分と、該第１部分に水平方向に隣接し、前記ソイルセメント柱列壁に結合された第２部分とを有する。前記ソイルセメント柱列壁は前記地盤から土圧及び水圧を受ける。このようにして前記ソイルセメント柱列壁に水平方向の外力が加えられることにより、前記ソイルセメント柱列壁及び前記スラブの前記第２部分は前記スラブの前記第１部分に対して回転しようとし、前記スラブの前記第２部分は前記第１部分から比較的大きい曲げモーメントを受ける。このため、前記スラブは比較的大きい曲げ強度を有しなければならず、前記スラブの内部の鉄筋の本数は比較的多く、前記スラブの厚さは比較的厚い。したがって、前記基礎の施工に多くの手間と費用とを要する。
【０００７】
本発明の目的は、建物の下にあるフーチングから水平方向に間隔を置かれた側壁に水平方向の外力が加えられたときに前記側壁と前記フーチングとの間の底版が前記フーチングから曲げモーメントを受けにくくする又は前記底版が前記フーチングから受ける曲げモーメントが小さくなるようにすることにより、前記底版に必要な曲げ強度を低減できるようにし、前記底版の内部の鉄筋の本数を減らしたり、前記底版の厚さを薄くしたりすることができるようにし、建物の基礎を経済的に施工できるようにすることである。
【課題を解決するための手段】
【０００８】
本発明は、フーチングと側壁との間に設けられ、一端部が前記側壁に固定された底版の他端部が回転可能に前記フーチングに隣接する又は前記他端部が前記フーチングに結合されかつ前記底版の前記一端部及び中間部より小さい断面二次モーメントを有する。これにより、前記側壁に水平方向の外力が加えられたときに前記底版が前記フーチングから曲げモーメントを受けにくくする又は前記底版が前記フーチングから受ける曲げモーメントが小さくなるようにし、前記底版に必要な曲げ強度を低減できるようにする。これにより、前記底版の内部の鉄筋の本数を減らしたり、前記底版の厚さを薄くしたりすることができるようにし、建物の基礎の経済的な施工を可能にする。
【０００９】
本発明に係る、地盤の上に建物を支持する基礎は、前記地盤の中に設けられた、前記建物の下にあるフーチングと、該フーチングから第１水平方向に間隔を置いて前記地盤の中に前記第１水平方向に対して垂直に設けられた側壁であって前記建物から隔てられた側壁と、該側壁における前記地盤の表面から下方へ隔てられた位置と前記フーチングとの間に設けられ、一端部が前記位置で前記側壁に固定され、他端部が前記第１水平方向と直交する第２水平方向に伸びる回転軸線の周りに回転可能に前記フーチングに隣接する底版とを含む。前記側壁及び前記底版は前記地盤の中における前記建物の前記第１水平方向の外方に空間を形成する。
【００１０】
前記側壁は前記地盤から土圧及び水圧を受ける。このようにして前記側壁に水平方向の外力が加えられたとき、前記側壁及び前記底版が前記フーチングに対して前記回転軸線の周りに回転しようとするが、前記底版の前記他端部が前記フーチングに対して前記回転軸線の周りに回転可能であるため、前記底版は前記フーチングから曲げモーメントを受けにくい。これにより、前記底版に必要な曲げ強度を低減することができ、前記底版の内部に配置する鉄筋の本数を減らしたり、前記底版の厚さを薄くしたりすることができる。
【００１１】
また、前記側壁に前記第１水平方向の外力が加えられたとき、前記底版が前記フーチングから曲げモーメントを受け難いため、前記フーチングも前記底版から曲げモーメントを受け難い。これにより、前記フーチングに必要な曲げ強度を低減することができ、前記フーチングの内部に配置する鉄筋の本数を減らしたり、前記フーチングを小型化したりすることができる。よって、建物の基礎を経済的に施工することができる。
【００１２】
前記基礎は、前記底版の前記他端部が、それぞれが前記フーチングから間隔を置かれた上縁部分及び下縁部分と、前記上縁部分と前記下縁部分との間にあって前記上縁部分及び前記下縁部分のそれぞれから前記第１水平方向に突出し、前記フーチングに接する中央部分とを有するものとすることができる。前記基礎は、前記底版の前記他端部と前記フーチングとの間に配置され、前記底版の前記他端部と前記フーチングとに密着する弾性部材を含むものとすることができる。前記基礎は、前記底版の前記他端部と前記フーチングとを結合する結合手段であって一端部が前記底版の前記他端部に固定された第１部材と、一端部が該第１部材の他端部に枢軸的に連結され、他端部が前記フーチングに固定された第２部材とからなる結合手段を含むものとすることができる。前記側壁は、前記地盤の中に前記側壁に平行に設けられた土留壁であって前記側壁の前記位置より下方にある下端部を有する土留壁に結合されたものとすることができる。
【００１３】
本発明に係る、地盤の上に建物を支持する他の基礎は、前記地盤の中に設けられた、前記建物の下にあるフーチングと、該フーチングから第１水平方向に間隔を置いて前記地盤の中に前記第１水平方向に対して垂直に設けられた側壁であって前記建物から隔てられた側壁と、該側壁における前記地盤の表面から下方へ隔てられた位置と前記フーチングとの間に設けられ、一端部が前記位置で前記側壁に固定され、他端部が前記フーチングに結合された底版とを含み、該底版の前記他端部は、前記底版の前記一端部及び中間部より前記第１水平方向と直交する第２水平方向に伸びる軸線に対する断面二次モーメントが小さい。前記側壁及び前記底版は前記地盤の中における前記建物の前記第１水平方向の外方に空間を形成する。
【００１４】
前記側壁に前記第１水平方向の外力が加えられたとき、前記側壁及び前記底版が前記フーチングに対して回転しようとし、前記底版が前記フーチングから曲げモーメントを受けるが、前記底版の前記他端部が前記一端部及び前記中間部より小さい断面二次モーメントを有するため、前記底版が前記フーチングから受ける曲げモーメントは、前記底版の前記他端部が前記一端部及び前記中間部と等しい断面二次モーメントを有する場合に比べて小さい。これにより、前記底版に必要な曲げ強度を低減することができ、前記底版の内部に配置する鉄筋の本数を減らしたり、前記底版の厚さを薄くしたりすることができる。
【００１５】
また、前記側壁に前記第１水平方向の外力が加えられたとき、前記底版が前記フーチングから受ける曲げモーメントが小さいため、前記フーチングが前記底版から受ける曲げモーメントも小さい。これにより、前記フーチングに必要な曲げ強度を低減することができ、前記フーチングの内部に配置する鉄筋の本数を減らしたり、前記フーチングを小型化したりすることができる。よって、建物の基礎を経済的に施工することができる。
【００１６】
前記他の基礎は、前記底版の前記他端部が、それぞれが前記フーチングから間隔を置かれた上縁部分及び下縁部分と、前記上縁部分と前記下縁部分との間にあって前記上縁部分及び前記下縁部分のそれぞれから前記第１水平方向に突出し、前記フーチングに連結された中央部分とを有するものとすることができる。前記中央部分は、前記底版の前記他端部の内部に固定され、該他端部から前記中央部分を経て前記フーチングの内部へ前記第１水平方向に伸び、前記フーチングの内部において該フーチングに固定された少なくとも１本の鉄筋により、前記フーチングに連結されている。
【００１７】
前記他の基礎は、前記底版の前記他端部と前記フーチングとの間に配置され、前記底版の前記他端部と前記フーチングとに密着する弾性部材と、前記底版の前記他端部の内部に固定され、該他端部から前記弾性部材を貫いて前記フーチングの内部へ前記第１水平方向に伸び、前記フーチングの内部において該フーチングに固定された少なくとも１本の鉄筋とを含むものとすることができる。前記側壁は、前記地盤の中に前記側壁に平行に設けられた土留壁であって前記側壁の前記位置より下方にある下端部を有する土留壁に結合されたものとすることができる。
【発明の効果】
【００１８】
本発明に係る基礎によれば、フーチングと側壁との間に設けられ、一端部が前記側壁に固定された底版の他端部が前記フーチングに回転可能に隣接するため、  前記側壁に前記第１水平方向の外力が加えられたときに前記底版が前記フーチングから曲げモーメントを受け難くすることができる。これにより、前記底版に必要な曲げ強度を低減することができ、前記底版の内部に配置する鉄筋の本数を減らしたり、前記底版の厚さを薄くしたりすることができる。よって、建物の基礎を経済的に施工することができる。
【００１９】
本発明に係る他の基礎によれば、底版の他端部がフーチングに結合されかつ前記底版の一端部及び中間部より小さい断面二次モーメントを有するため、前記底版の前記他端部が前記一端部及び前記中間部と等しい断面二次モーメントを有する場合に比べ、前記側壁に前記第１水平方向の外力が加えられたときに前記底版が前記フーチングから受ける曲げモーメントを小さくすることができる。これにより、前記底版に必要な曲げ強度を低減することができ、前記底版の内部に配置する鉄筋の本数を減らしたり、前記底版の厚さを薄くしたりすることができる。よって、建物の基礎を経済的に施工することができる。
【図面の簡単な説明】
【００２０】
【図１】本発明の第１実施例に係る基礎の縦断面図。
【図２】図１の線２における基礎の拡大図。
【図３】本発明の第２実施例に係る基礎の拡大図。
【図４】本発明の第３実施例に係る基礎の拡大図。
【図５】本発明の第４実施例に係る基礎の拡大図。
【図６】本発明の第５実施例に係る基礎の拡大図。
【図７】本発明の第６実施例に係る基礎の拡大図。
【図８】本発明の第７実施例に係る基礎の拡大図。
【図９】本発明の第８実施例に係る基礎の拡大図。
【図１０】本発明の第９実施例に係る基礎の拡大図。
【図１１】本発明の第１０実施例に係る基礎の拡大図。
【図１２】本発明の第１１実施例に係る基礎の拡大図。
【図１３】本発明の第１２実施例に係る基礎の拡大図。
【図１４】本発明の第１３実施例に係る基礎の縦断面図。
【図１５】本発明の第１４実施例に係る基礎の縦断面図。
【発明を実施するための形態】
【００２１】
図１に示すように、地盤１０の上に建物１２を支持する基礎１４が構築されている。基礎１４は、地盤１０の中に設けられたフーチング１６と、該フーチングから第１水平方向（図１における左右方向）に間隔を置いて該第１水平方向に対して垂直に地盤１０の中に設けられた側壁１８と、該側壁における地盤１０の表面２０から下方へ隔てられた位置２２とフーチング１６との間に設けられた底版２４とを備える。側壁１８及び底版２４は地盤１０の中における建物１２の前記第１水平方向の外方に空間１２ａを形成している。
【００２２】
フーチング１６は建物１２の下にあり、フーチング１６と建物１２との間に複数の免震装置２６が間隔を置いて配置されている。各免震装置２６は、例えば、積層ゴムを有する。フーチング１６は地盤１０の表面２０から下方へ隔てられている。側壁１８は建物１２から前記第１水平方向に隔てられ、空間１２ａは側壁１８と建物１２との間に設けられている。フーチング１６、側壁１８及び底版２４のそれぞれは鉄筋コンクリートからなる。底版２４は、側壁１８と一体に形成されていてもよいし、側壁１８と別個に形成されていてもよい。
【００２３】
側壁１８の下端部は位置２２にあり、底版２４の一端部２８は位置２２で側壁１８に固定されている。底版２４の一端部２８は、位置２２で側壁１８に剛接合されており、側壁１８に対して回転不能である。底版２４の他端部３０は、前記第１水平方向と直交する第２水平方向（図１における奥行き方向）に伸びる回転軸線の周りにフーチング１６に対して回転可能に該フーチングに隣接している。このため、フーチング１６に対する底版２４の他端部３０の前記回転軸線の周りの回転が許される。
【００２４】
図２に示すように、底版２４の他端部３０は、それぞれがフーチング１６から間隔を置かれた上縁部分３２及び下縁部分３４と、上縁部分３２と下縁部分３４との間にあって上縁部分３２及び下縁部分３４のそれぞれから前記第１水平方向に突出する中央部分３６とを有し、該中央部分はフーチング１６に接している。上縁部分３２がフーチング１６から間隔を置かれているため、底版２４の他端部３０がフーチング１６に対して前記回転軸線の周りに回転しようとしたとき、上縁部分３２がフーチング１６に当たって他端部３０の回転が妨げられることはなく、該回転は許される。
【００２５】
底版２４の他端部３０の中央部分３６における端面３８ａ、上縁部分３２における端面３８ｂ及び下縁部分３４における端面３８ｃのそれぞれは前記第１水平方向に対して垂直である。フーチング１６は前記第１水平方向に対して垂直な端面４０を有し、底版２４の他端部３０の中央部分３６における端面３８ａはフーチング１６の端面４０に密着している。なお、図２に示したように、中央部分３６は、フーチング１６に接する部分であり、上縁部分３２は、底版２４の上面からフーチング１６に接する部分までの部分であり、下縁部分３４は、フーチング１６に接する部分から底版２４の下面までの部分である。
【００２６】
地震時にフーチング１６、側壁１８及び底版２４は地盤１０から前記第１水平方向の地震荷重を受けて建物１２に対して前記第１水平方向に動く。側壁１８が建物１２から隔てられているため、フーチング１６、側壁１８及び底版２４は、側壁１８が建物１２に接触することなく、建物１２に対して前記第１水平方向に動くことができる。側壁１８と建物１２との間の前記第１水平方向の間隔は、地震時における建物１２に対する側壁１８の前記第１水平方向の移動距離より長い。このように側壁１８と建物１２との間の空間１２ａはいわゆる免震ピットとして用いられる。
【００２７】
空間１２ａは、免震ピットとして用いる上記の例に代え、建物１２への物品の搬入路又は建物１２からの物品の搬出路として用いてもよい。この場合、フーチング１６と建物１２との間に免震装置２６が配置されている図１に示した例に代え、フーチング１６と建物１２との間に免震装置２６が配置されておらず、建物１２がフーチング１６の上に直接構築されていてもよい。
【００２８】
側壁１８は地盤１０から土圧及び水圧を受ける。このように側壁１８に前記第１水平方向の外力が加えられているとき、側壁１８及び底版２４がフーチング１６に対して前記回転軸線の周りに回転しようとするが、底版２４の他端部３０がフーチング１６に対して前記回転軸線の周りに回転可能であるため、フーチング１６に対する底版２４の他端部３０の回転が許され、底版２４の他端部３０はフーチング１６から曲げモーメントを受けにくい。このため、底版２４に必要な曲げ強度を低減することができ、底版２４の内部に配置する鉄筋の本数を減らしたり、底版２４の厚さを薄くしたりすることができる。これにより、建物の基礎を経済的に施工することができる。
【００２９】
側壁１８に前記第１水平方向の外力が加えられているとき、底版２４の他端部３０がフーチング１６から曲げモーメントを受けにくいため、フーチング１６も底版２４の他端部３０から曲げモーメントを受けにくい。このため、フーチング１６に必要な曲げ強度を低減することができ、フーチング１６の内部に配置する鉄筋の本数を減らしたり、フーチング１６を小型化したりすることができ、建物の基礎を経済的に施工することができる。なお、側壁１８に前記第１水平方向の外力が加えられているとき、底版２４が地盤１０から上向きの反力を受けているため、側壁１８及び底版２４は自立している。前記第１水平方向の外力は、土圧及び水圧である上記の例に代え、地震荷重でもよい。
【００３０】
図３に示す例では、底版２４の上縁部分３２における端面３８ｂ及び下縁部分３４における端面３８ｃのそれぞれは、前記第１水平方向に対して垂直である図２に示した例に代え、中央部分３６における端面３８ａに対して傾斜している。図４に示す例では、底版２４の上縁部分３２における端面３８ｂ及び下縁部分３４における端面３８ｃのそれぞれが中央部分３６における端面３８ａに対して傾斜している図３に示した例に代え、底版２４は、円弧状の縦断面形状をもつ端面３８を有する。フーチング１６の端面４０は平坦である。
【００３１】
図５に示す例では、フーチング１６の端面４０が平坦である図４に示した例に代え、フーチング１６の端面４０に凹所４２が設けられており、底版２４の他端部３０はフーチング１６の凹所４２に受け入れられている。凹所４２は、底版２４の端面３８の縦断面形状に対応する円弧状の縦断面形状をもつ内周面４２ａにより規定されており、底版２４の端面３８は内周面４２ａに密着している。
【００３２】
図６に示す例では、底版２４の他端部３０が、上縁部分３２及び下縁部分３４のそれぞれから突出する中央部分３６を有する図２ないし５に示した例に代え、フーチング１６の端部４４が、該端部の上縁部分４６及び下縁部分４８のそれぞれから前記第１水平方向に突出する中央部分５０を有する。底版２４の端面３８に凹所５２が設けられており、該凹所はフーチング１６の端部４４の中央部分５０を受け入れている。底版２４の端面３８に凹所５２が設けられている図６に示した例に代え、底版２４の端面３８が平坦でもよい。この場合、底版２４の端面３８はフーチング１６の端部４４の中央部分５０に接している。
【００３３】
底版２４の他端部３０は、それぞれがフーチング１６から間隔を置かれた上縁部分３２及び下縁部分３４と、上縁部分３２及び下縁部分３４のそれぞれから前記第１水平方向に突出する中央部分３６とを有する図２ないし５に示した例に代え、フーチング１６から間隔を置かれた上縁部分３２と、それぞれが該上縁部分から前記第１水平方向に突出する中央部分３６及び下縁部分３４とを有し、中央部分３６及び下縁部分３４のそれぞれがフーチング１６に接するものとすることができる。また、底版２４の他端部３０は、フーチング１６から間隔を置かれた下縁部分３４と、それぞれが該下縁部分から前記第１水平方向に突出する上縁部分３２及び中央部分３６とを有し、上縁部分３２及び中央部分３６のそれぞれがフーチング１６に接するものとすることができる。
【００３４】
底版２４の他端部３０は、それぞれがフーチング１６から間隔を置かれた上縁部分３２及び下縁部分３４と、上縁部分３２及び下縁部分３４のそれぞれから前記第１水平方向に突出する中央部分３６とを有する図２ないし５に示した例に代え、図７に示すように、フーチング１６から間隔を置かれた上半部５４と、該上半部から前記第１水平方向に突出する下半部５６とを有し、該下半部がフーチング１６に接するものとすることができる。また、底版２４の他端部３０は、フーチング１６から間隔を置かれた下半部５６と、該下半部から前記第１水平方向に突出する上半部５４とを有し、該上半部がフーチング１６に接するものとすることができる。
【００３５】
図８に示す例では、底版２４の他端部３０がフーチング１６に接している図２ないし７に示した例に代え、底版２４の他端部３０とフーチング１６との間に弾性部材５８が介在する。底版２４の他端部３０はフーチング１６から間隔を置かれ、基礎１４は、底版２４の他端部３０とフーチング１６との間に配置された弾性部材５８を備える。弾性部材５８は底版２４の他端部３０とフーチング１６とに密着している。弾性部材５８は板状であり、弾性部材５８の一方の面５８ａは底版２４の他端部３０に密着し、弾性部材５８の他方の面５８ｂはフーチング１６に密着している。弾性部材５８は、ゴム、合成樹脂等からなる。底版２４の他端部３０がフーチング１６に対して回転しようとしたとき、弾性部材５８の上端部が底版２４の他端部３０の上縁部分から圧縮力を受けて弾性変形するため、フーチング１６に対する底版２４の他端部３０の回転が妨げられることはなく、該回転は許される。
【００３６】
図９に示す例では、基礎１４は、弾性部材５８を備える図８に示した例に代え、底版２４の他端部３０とフーチング１６を結合する結合手段６０を備える。結合手段６０は、一端部が底版２４の他端部３０に固定された第１部材６２と、一端部が該第１部材の他端部に枢軸的に連結され、他端部がフーチング１６に固定された第２部材６４とからなる。
【００３７】
第１部材６２は、底版２４の他端部３０に結合された第１プレート６２ａと、該第１プレートに固定された、該第１プレートに対して垂直な第２プレート６２ｂとを有する。第１プレート６２ａは複数の貫通孔（図示せず）を有し、第１プレート６２ａは、底版２４の他端部３０の内部に固定され、該他端部から第１プレート６２ａの各貫通孔を経て前記第１水平方向に外方へ伸びるボルト６２ｃと、他端部３０の外方においてボルト６２ｃに螺合されたナット６２ｄとにより、他端部３０に結合されている。
【００３８】
第２部材６４は、フーチング１６に結合された第１プレート６４ａと、該第１プレートに固定された、該第１プレートに対して垂直な第２プレート６４ｂとを有する。第１プレート６４ａは複数の貫通孔（図示せず）を有し、第１プレート６４ａは、フーチング１６の内部に固定され、該フーチングから第１プレート６４ａの各貫通孔を経て前記第１水平方向に外方へ伸びるボルト６４ｃと、フーチング１６の外方においてボルト６４ｃに螺合されたナット６４ｄとにより、フーチング１６に結合されている。第１部材６２の第１プレート６２ａと第２部材６４の第１プレート６４ａとは、第１部材６２の第１プレート６２ａと第２部材６４の第１プレート６４ａとをこれらに対して垂直に貫く軸６０ａを介して連結されている。
【００３９】
図１０に示す例では、底版２４の他端部３０が回転可能にフーチング１６に隣接する図２ないし９に示した例に代え、底版２４の他端部３０がフーチング１６に結合されかつ底版２４の一端部２８及び中間部６６（図１）より小さい断面二次モーメントを有する。前記断面二次モーメントは、前記第２水平方向に伸びる軸線に対する断面二次モーメントである。
【００４０】
底版２４の他端部３０は、それぞれがフーチング１６から間隔を置かれた上縁部分３２及び下縁部分３４と、上縁部分３２と下縁部分３４との間にあって上縁部分３２及び下縁部分３４のそれぞれから前記第１水平方向に突出する中央部分３６とを有し、中央部分３６はフーチング１６に連結されている。底版２４の他端部３０の中央部分３６における厚さ寸法は底版２４の一端部２８及び中間部６６における厚さ寸法より小さく、前記第１水平方向に対して垂直な断面における底版２４の他端部３０の中央部分３６の断面積は底版２４の一端部２８及び中間部６６の断面積より小さく、底版２４の他端部３０の前記断面二次モーメントは底版２４の一端部２８及び中間部６６の前記断面二次モーメントより小さい。
【００４１】
基礎１４は、底版２４の他端部３０の内部に間隔を置いて固定され、それぞれが該他端部から中央部分３６を経てフーチング１６の内部へ前記第１水平方向に伸びる複数の鉄筋６８を備え、各鉄筋はフーチング１６の内部において該フーチングに固定されている。鉄筋６８は底版２４の他端部３０の中央部分３６とフーチング１６とを連結する。鉄筋６８の本数は、複数本である図１０に示した例に代え、１本でもよい。底版２４及びフーチング１６は、一体に形成されていてもよいし、別個に形成されていてもよい。
【００４２】
底版２４の中央部分３６における端面３８ａ、上縁部分３２における端面３８ｂ及び下縁部分３４における端面３８ｃのそれぞれは前記第１水平方向に対して垂直である。底版２４の上縁部分３２における端面３８ｂ及び下縁部分３４における端面３８ｃのそれぞれは、前記第１水平方向に対して垂直である図１０に示した例に代え、中央部分３６における端面３８ａに対して傾斜していてもよい。底版２４の中央部分３６における端面３８ａ、上縁部分３２における端面３８ｂ及び下縁部分３４における端面３８ｃのそれぞれが前記第１水平方向に対して垂直である図１０に示した例に代え、底版２４が、円弧状の縦断面形状をもつ端面を有してもよい。
【００４３】
側壁１８に前記第１水平方向の外力が加えられているとき、側壁１８及び底版２４がフーチング１６に対して回転しようとし、底版２４がフーチング１６から曲げモーメントを受けるが、底版２４の他端部３０の断面二次モーメントが底版２４の一端部２８及び中間部６６の断面二次モーメントより小さいため、底版２４の他端部３０がフーチング１６から受ける曲げモーメントは、底版２４の他端部３０の断面二次モーメントが底版２４の一端部２８及び中間部６６の断面二次モーメントと等しい場合に比べて小さい。このため、底版２４に必要な曲げ強度を低減することができ、底版２４の内部に配置する鉄筋の本数を減らしたり、底版２４の厚さを薄くしたりすることができ、建物の基礎を経済的に施工することができる。
【００４４】
側壁１８に前記第１水平方向の外力が加えられているときに底版２４の他端部３０がフーチング１６から受ける曲げモーメントが比較的小さいため、フーチング１６が底版２４の他端部３０から受ける曲げモーメントも比較的小さい。このため、フーチング１６に必要な曲げ強度を低減することができ、フーチング１６の内部に配置する鉄筋の本数を減らしたり、フーチング１６を小型化したりすることができ、建物の基礎を経済的に施工することができる。
【００４５】
底版２４の他端部３０は、それぞれがフーチング１６から間隔を置かれた上縁部分３２及び下縁部分３４と、上縁部分３２及び下縁部分３４のそれぞれから前記第１水平方向に突出する中央部分３６とを有する図１０に示した例に代え、フーチング１６から間隔を置かれた上縁部分３２と、それぞれが該上縁部分から前記第１水平方向に突出する中央部分３６及び下縁部分３４とを有し、中央部分３６及び下縁部分３４のそれぞれがフーチング１６に連結されているものとすることができる。また、底版２４の他端部３０は、フーチング１６から間隔を置かれた下縁部分３４と、それぞれが該下縁部分から前記第１水平方向に突出する上縁部分３２及び中央部分３６とを有し、上縁部分３２及び中央部分３６のそれぞれがフーチング１６に連結されているものとすることができる。
【００４６】
図１１に示す例では、底版２４の他端部３０が、それぞれがフーチング１６から間隔を置かれた上縁部分３２及び下縁部分３４と、上縁部分３２及び下縁部分３４のそれぞれから前記第１水平方向に突出する中央部分３６とを有する図１０に示した例に代え、底版２４の他端部３０が、フーチング１６から間隔を置かれた上半部５４と、該上半部から前記第１水平方向に突出する下半部５６とを有し、該下半部はフーチング１６に連結されている。基礎１４は、底版２４の他端部３０の内部に間隔を置いて固定され、それぞれが該他端部から下半部５６を経てフーチング１６の内部へ前記第１水平方向に伸びる複数の鉄筋６８を備え、各鉄筋はフーチング１６の内部において該フーチングに固定されている。底版２４の他端部３０は、フーチング１６から間隔を置かれた上半部５４と、該上半部から前記第１水平方向に突出する下半部５６とを有する図１１に示した例に代え、フーチング１６から間隔を置かれた下半部５６と、該下半部から前記第１水平方向に突出する上半部５４とを有し、該上半部がフーチング１６に連結されているものとすることができる。
【００４７】
図１０に示した例では、底版２４の他端部３０の中央部分３６が直接にフーチング１６の端部４４に連結されているが、これに代え、図１２に示す例では、フーチング１６が、該フーチングの端部４４に形成され、該端部から前記第１水平方向に伸びる伸長部分７０を有し、底版２４の他端部３０の中央部分３６は伸長部分７０を介してフーチング１６の端部４４に連結されている。底版２４の他端部３０の上縁部分３２及び下縁部分３４のそれぞれはフーチング１６の伸長部分７０から間隔を置かれている。
【００４８】
図１０ないし１２に示した例では、底版２４の他端部３０がフーチング１６に接しているが、図１３に示す例では、底版２４の他端部３０とフーチング１６との間に弾性部材５８が介在する。基礎１４は、底版２４の他端部３０とフーチング１６との間に配置された弾性部材５８と、底版２４の他端部３０の内部に間隔を置いて固定され、それぞれが該他端部から弾性部材５８を貫いてフーチング１６の内部へ前記第１水平方向に伸びる複数の鉄筋６８とを備え、各鉄筋はフーチング１６の内部において該フーチングに固定されている。弾性部材５８は、各鉄筋６８を受け入れる貫通穴（図示せず）を有し、鉄筋６８に付着していない。鉄筋６８の本数は、複数本である図１３に示した例に代え、１本でもよい。
【００４９】
側壁１８の下端部は、位置２２にある図１に示した例に代え、図１４に示すように、位置２２の下方にあってもよい。図１４に示した例では、側壁１８は土留壁ではないが、これに代え、側壁１８は土留壁でもよい。
【００５０】
図１５に示す例では、側壁１８は、地盤１０の中に設けられた土留壁７２に結合されている。土留壁７２は側壁１８に平行であり、土留壁７２の下端部７４は側壁１８の位置２２の下方にある。土留壁７２に複数のスタッド７６が上下方向に間隔を置いて固定されており、各スタッド７６は、土留壁７２から側壁１８の内部へ前記第１水平方向に伸び、側壁１８の内部において該側壁に固定されている。スタッド７６は側壁１８と土留壁７２との結合を強化する。土留壁１２は、ソイルセメント柱列壁、鋼管矢板、鋼矢板、親杭横矢板等である。底版２４の他端部３０は前記回転軸線の周りに回転可能にフーチング１６に隣接するか又はフーチング１６に結合されかつ底版２４の一端部２８及び中間部６６より小さい断面二次モーメントを有する。
【００５１】
土留壁７２が側壁１８の位置２２の上方における地盤１０から土圧及び水圧を受けているとき、土留壁７２は、曲げ変形し、地盤１０に対して上方へずれようとし、該地盤から下向きの摩擦力を受ける。仮に、底版２４の他端部３０がフーチング１６に剛接合されている場合、フーチング１６に対する側壁１８及び底版２４の回転がフーチング１６により拘束され、土留壁７２の曲げ変形が側壁１８及び底版２４により妨げられるため、土留壁７２は地盤１０に対して上方へずれにくく、前記摩擦力は比較的小さい。このため、地盤１０が負担する荷重は比較的小さく、側壁１８及び底版２４がスタッド７６を介して負担する荷重は比較的大きい。これにより、スタッド７６に比較的大きいせん断力が作用し、スタッド７６の本数を多くしたり、スタッド７６の径を大きくしたりしなければならず、建物の基礎を経済的に施工することができない。
【００５２】
これに対して、底版２４の他端部３０が前記回転軸線の周りに回転可能にフーチング１６に隣接する又はフーチング１６に結合されかつ底版２４の一端部２８及び中間部６６より小さい断面二次モーメントを有する場合、フーチング１６に対する側壁１８及び底版２４の回転がフーチング１６により拘束され難く、土留壁７２の曲げ変形とともに側壁１８及び底版２４がフーチング１６に対して回転しようとするため、土留壁７２は地盤１０に対して上方へずれやすく、前記摩擦力は比較的大きい。このため、地盤１０が負担する荷重は比較的大きく、側壁１８及び底版２４がスタッド７６を介して負担する荷重は比較的小さい。これにより、スタッド７６に作用する前記せん断力を小さくすることができ、スタッド７６の本数を少なくしたり、スタッド７６の径を小さくしたりすることができ、建物の基礎を経済的に施工することができる。
【００５３】
底版２４の他端部３０がフーチング１６に剛接合されている場合、土留壁７２が前記土圧及び前記水圧を受けているときに地盤１０が負担する荷重が比較的小さいため、従来、地盤１０は、設計上、土留壁７２が前記土圧及び前記水圧を受けているときに荷重を負担するものとして扱われていなかった。これに対して、底版２４の他端部３０が前記回転軸線の周りに回転可能にフーチング１６に隣接する又はフーチング１６に結合されかつ底版２４の一端部２８及び中間部６６より小さい断面二次モーメントを有する場合、土留壁７２が前記土圧及び前記水圧を受けているときに地盤１０が負担する荷重が比較的大きいため、地盤１０を、設計上、土留壁７２が前記土圧及び前記水圧を受けているときに荷重を負担するものとして扱うことができる。
【符号の説明】
【００５４】
１０    地盤
１２    建物
１４    基礎
１６    フーチング
１８    側壁
２２    位置
２４    底版
２８    一端部
３０    他端部
３２    上縁部分
３４    下縁部分
３６    中央部分
５８    弾性部材
６０    結合手段
６２    第１部材
６４    第２部材
６８    鉄筋
７２    土留壁
【図１】
2012117204.tif 000003
【図２】
2012117204.tif 000004
【図３】
2012117204.tif 000005
【図４】
2012117204.tif 000006
【図５】
2012117204.tif 000007
【図６】
2012117204.tif 000008
【図７】
2012117204.tif 000009
【図８】
2012117204.tif 000010
【図９】
2012117204.tif 000011
【図１０】
2012117204.tif 000012
【図１１】
2012117204.tif 000013
【図１２】
2012117204.tif 000014
【図１３】
2012117204.tif 000015
【図１４】
2012117204.tif 000016
【図１５】
2012117204.tif 000017